Podtech/llm-jp-corpus-v4-ja_patent huggingface dataset:
(57)【要約】      （修正有）【課題】シリカ入り水素豊富水を簡単に生成することができる水素豊富水生成器を提供する。【解決手段】ケース１は、水の入った容器に挿入可能であり、内部に水が出入り可能に筒状に構成されている。ケース１内には金属マグネシウム５と、水溶性のシリカ６が配置されている。金属マグネシウム５と、水溶性のシリカ６は通水性の袋体４に充填されている。金属マグネシウム５と、水溶性のシリカ６は、容器内の水をシリカ成分を豊富に含む水素豊富水に変える。【選択図】図１
0003204880.tif 000002
【実用新案登録請求の範囲】
【請求項１】
水の入った容器に挿入可能であり、内部に水が出入り可能な筒状のケースと、該ケース内に配置された金属マグネシウムと、前記ケース内に配置された水溶性のシリカ（ケイ素）とを備え、容器内の水をシリカ（ケイ素）を豊富に含む水素豊富水に変えるようにしたことを特徴とするシリカ（ケイ素）入り水素豊富水生成器。
【請求項２】
前記金属マグネシウムと、水溶性のシリカ（ケイ素）とを通水性の袋体に充填したことを特徴とする請求項１に記載のシリカ（ケイ素）入り水素豊富水生成器。
【考案の詳細な説明】
【技術分野】
【０００１】
本考案は、飲んだり皮膚に塗布することで、体内の活性酸素の消去や皮膚の老化によるシミやその改善、その他美容・健康に効果のあるシリカ（ケイ素）入り水素豊富水を生成するための水素豊富水生成器に関する。
【背景技術】
【０００２】
飲料水用の容器に投入可能であり、内部に水が通水可能なケースに、金属マグネシウム粒を内置し、金属マグネシウム粒を飲料水と反応させて水素ガスを発生させ、普通の水道水などの飲料水を水素豊富水に変える水素豊富水生成器が従来知られている（例えば特許文献１参照）。また、シリカ（ケイ素）が含まれる鉱物を２０００度Ｃ以上の高温で熱し、発生したガスを回収してろ過して純水に溶かし、フィルターに通すという方法により、からだに吸収される分子レベルの水溶性シリカ（ケイ素）が考案されている。水溶性シリカ（ケイ素）は、からだが吸収できるので、全身の組織や臓器の細胞の材料となり、傷ついた細胞を修復することで、美容や健康に良い影響を与えることが知られている（非特許文献１参照）。
【先行技術文献】
【特許文献】
【０００３】
【特許文献１】特許第４２５２４３４号公報
【非特許文献】
【０００４】
【非特許文献１】現代書林２０１６年３月２９日初版第１刷、山野井  昇著「ケイ素でキレイになる！」第９８ページ
【考案の概要】
【考案が解決しようとする課題】
【０００５】
本考案は、水素豊富水の優れた抗酸化力とシリカ（ケイ素）の持つ美容や健康への効能に着目し、水素とシリカを組み合わせ結合することで、結合による相乗効果を有する水素豊富水を生成するための水素豊富水生成器を提供することを目的とする。
【課題を解決するための手段】
【０００６】
上記目的を達成するため、本考案は、水の入った容器に挿入可能であり、内部に水が出入り可能な筒状のケースと、該ケース内に配置された金属マグネシウムと、前記ケース内に配置された水溶性のシリカ（ケイ素）とを備え、容器内の水をシリカ（ケイ素）を豊富に含む水素豊富水に変えるようにしたことを特徴とする。
また本考案は、前記金属マグネシウムと、水溶性のシリカ（ケイ素）とを通水性の袋体に充填したものである。
【考案の効果】
【０００７】
本考案は、シリカ（ケイ素）成分の入った健康と美容効果に優れた水素豊富水を簡単に提供することができる。
【図面の簡単な説明】
【０００８】
【図１】本考案の好適な実施形態を示す断面説明図である。
【図２】水素豊富水生成器の外観図である。
【図３】本考案の説明図である。
【考案を実施するための最良の形態】
【０００９】
以下に本考案の構成を添付した図面を参照して詳細に説明する。
符号２は、本考案に係る水素豊富水生成器１のケースであり、横断面形状が六角形の細長い筒状のプラスチックにより構成されている。ケース２の材質は、プラスチックに特に限定されるものではなく、多孔質のセラミックや、その他の同効材をケース２として用いることができる。
【００１０】
ケース２の側壁には、ケース２内に液体を出入りさせるための穴３が穿設され、この穴３を通してケース１の内部が外部と連通している。符号４は、不織布などの通水性の素材から成る袋体であり、これに粒状の多数の金属マグネシウム５と、ボール状に固形化された複数の水溶性シリカ（ケイ素）６と、粒状の複数の水溶性トルマリン７と、粒状の複数の水溶性ソメライト８が充填されている。これら金属マグネシウム５、シリカ（ケイ素）６、トルマリン７、ソメライト８が充填された袋体４は、ケース２の内部に配置されている。
【００１１】
上記した構成において、図３に示すように、ケース２内に、粒状の複数の金属マグネシウム５、ボール状の複数の水溶性シリカ（ケイ素）６、水溶性トルマリン７、同じく水溶性ソメライト８を入れた水素豊富水生成器１を、常温あるいは冷却した飲料水９の入ったボトル（容器）１０内に投入する。水素豊富水生成器１投入後、１０分程度経過すると、ボトル１０内の飲料水９は、金属マグネシウム５と反応し、次の化学式によって水素ガスを発生する。
【００１２】
【化１】
0003204880.tif 000003
【００１３】
ケース２の、ボトル１０への投入後、ボトル１０内の水は、約２時間で水素が豊富な状態になり、約８時間放置すると、さらに濃い水素豊富水が出来上がる。  また、時間の経過とともに、シリカ（ケイ素）６、トルマリン７、ソメライト８の成分が飲料水中に溶出する。これにより、ボトル１０内の飲料水９は、シリカ（ケイ素）６、トルマリン７、ソメライト８の養分を含む水素豊富水に変化する。
【００１４】
シリカ（ケイ素）６は、体内に含まれる肌の保湿、骨や毛髪、爪、コラーゲンの再生などに有益であり、また、トルマリン７、ソメライト８は、健康や美容に有益なミネラルを水中に溶出し、水を美味しくまろやかにする効能を有する。
なお水素豊富水生成器１は、肌に液体を吹き付けるためのスプレー容器に入れて使用することもできる。
【符号の説明】
【００１５】
１      水素豊富水生成器
２      ケース
３      穴
４      袋体
５      金属マグネシウム
６      シリカ（ケイ素）
７      トルマリン
８      ソメライト
９      飲料水
１０    ボトル
【図１】
0003204880.tif 000004
【図２】
0003204880.tif 000005
【図３】
0003204880.tif 000006
【手続補正書】
【提出日】平成28年4月12日(2016.4.12)
【手続補正１】
【補正対象書類名】実用新案登録請求の範囲
【補正対象項目名】全文
【補正方法】変更
【補正の内容】
【実用新案登録請求の範囲】
【請求項１】
水の入った容器に挿入可能であり、内部に水が出入り可能な穴が穿設された筒状のケースと、該ケース内に配置された金属マグネシウムと、前記ケース内に配置された水溶性のシリカとを備え、容器内の水をシリカを豊富に含む水素豊富水に変えるようにしたことを特徴とするシリカ入り水素豊富水生成器。
【請求項２】
前記金属マグネシウムと、水溶性のシリカとを通水性の袋体に充填したことを特徴とする請求項１に記載のシリカ入り水素豊富水生成器。
(57)【要約】      （修正有）【課題】本考案は料理やお弁当を食べる相手に、手軽に安全にメッセージを伝えられる、メッセージが書き込めるピック用のシールを提供する。【解決手段】本考案は、メッセージピックシール１に透明カバーフィルムシール２を貼付する事と、本シールの粘着剤を貼付していない部分を設ける事でインクや粘着剤が食品に付着する事を防ぎ、爪楊枝等５に巻きつけてシール同士を接着するだけでピックとなるメッセージが書き込めるピック用のシールである。【選択図】図３
0003204874.tif 000002
【実用新案登録請求の範囲】
【請求項１】
手書きでメッセージを記入したシールを爪楊枝等に巻きつけるだけで、料理やお弁当を彩るメッセージピックとなるシール。
【請求項２】
メッセージを記入したインクやシール本体の絵柄のインクが食品に付着しないように、メッセージを記入後、シール全体に透明のカバーフィルムシールを貼付する事を特徴とするメッセージピックシール。
【請求項３】
シール本体の粘着剤が直接食品に触れないように、シールの淵から内側へ数ミリの所は粘着剤を貼付しない事を特徴とするメッセージピックシール。
【考案の詳細な説明】
【技術分野】
【０００１】  本考案はシールに手書きでメッセージを記入し、爪楊枝等に巻きつけるだけで料理やお弁当を彩るピックとなるメッセージを書き込めるピック用シールに関するものである。さらに安全面を重視し、透明カバーフィルムシールを貼付する事と、シール本体の粘着剤をシールの淵から内側へ数ミリの所は貼付しない事を特徴としたシールである。
【背景技術】
【０００２】  シールに乗り物や動物、英語のメッセージ等が印刷されていて、爪楊枝等に巻きつけるとピックになるピックシールは実用化されている。【０００３】  実用新案に「メッセージピック」の登録がある。
【先行技術文献】
【特許文献】
【０００４】
【特許文献１】実用新案登録第３１１４４７１号
【非特許文献】
【０００５】
【非特許文献１】「ピックシール  ３シート入」（株）大創産業
【考案の概要】
【考案が解決しようとする課題】
【０００６】  ピックシールはシール全体に絵柄が印刷されているので、メッセージを記入する事ができず、もし記入した場合は、インクが食品に付着してしまう。また、爪楊枝にシールのずれが全く無いように接着するのは難しく、シールがずれて接着された場合、シールの粘着剤が数時間温かいお弁当箱の中で食品に直接付いた状態では安全面に不安がある。【０００７】  メッセージピックは繰返し使用するものなのか疑問があり、繰返し使用する場合、シールを剥がす作業が負担になる。繰返し使用しない場合は、資源的、環境的問題から考え深い所がある。本考案は安全面と手軽さを兼備えながら、料理やお弁当を食べる相手に気持ちを伝えたり、コミュニケーションをとる事ができる。
【課題を解決するための手段】
【０００８】  本考案はシールにメッセージを記入後、爪楊枝等に巻きつけるだけで、料理やお弁当を彩るメッセージピックとなるシールであるが、インクが食品に付着する事を防ぐ為に本シール全体に透明のカバーフィルムシールを貼付し、また、シール本体の粘着剤の付着を防ぐ為に、本シールの淵から内側へ数ミリの所は粘着剤を貼付しない事により、シールが多少ずれて貼り合わさっても粘着剤がむき出しにならないことにより問題点を解決している。
【考案の効果】
【０００９】  上述の様に、本考案のメッセージが書き込めるピック用シールは、手軽に安全に料理やお弁当を食べる相手に気持ちやメッセージを伝える事ができるので、直接言い辛い事、例えば「いつもありがとう。」や「昨日はごめんね。」等、また、子供に「がんばって！」とエールを送ったり、「部屋を片付けなさい！」と注意を促したり、その日の予定を忘れないように「１８時から歯医者だよ。」等予定を伝える事もできる。このように大切な相手とのコミュニケーションツールとなり、絆や愛情が深まります。
【図面の簡単な説明】
【００１０】
【図１】本考案の実施例を示す正面図である。
【図２】本考案のシールにメッセージ例を記入し、透明カバーフィルムを貼付する為に剥離紙をはがしている概略図である。
【図３】本考案のメッセージピックシールを爪楊枝に巻きつける事を表した概略図である。
【図４】本考案のシールがピックとして完成した概略図である。
【図５】本考案のシールの背面図である。
【図６】本考案の他の実施例を示す概略図である。
【考案を実施するための形態】
【００１１】  シール本体は、紙基材の裏面に粘着剤層、台紙の剥離紙の順序で積層されている。透明カバーフィルムシールは、カバーフィルムの裏面に粘着剤層、剥離紙の順序で積層せれており、粘着剤層の一部がシール本体紙基材の一部と接着されている。
【００１２】  粘着剤は安全性の高いものを使用する。
【００１３】  カバーフィルムシールは透明で、液体を通さない安全な素材であれば特に制限されないが、ポリプロピレン等が好ましい。
【００１４】  シール本体の形状はメッセージ記入面と絵柄面が左右対称であれば、どのような形でも対応可能なので、円形、ハート型、花型、動物の形など、特に制限はされない。また、シール本体のサイズも特に制限されない。
【００１５】  シール本体の絵柄はメッセージを強調するものや、料理やお弁当を食べる相手を和ませる物、面白い物、季節の行事の絵柄等、様々な色や絵柄で装飾することが可能である。
【実施例】
【００１６】以下、貼付図面に従って実施例を説明する。図２に示すように、予め絵柄が印刷された本シール１の絵柄部分に接着されている３の剥離紙が付いた透明カバーフィルムシール２をめくり、本シール１にメッセージ（本例では「お仕事がんばってね！」）を記入した後、３の剥離紙を剥がし、透明カバーフィルムシール２を１に貼付する。【００１７】  本シール１を４の台紙から剥がし、図５、図３が示すように、本シール１の裏面６の粘着剤層の中心部分に５の爪楊枝等を接着させ、本シール１の両端同士が合うようにシール全体を接着させる事でピックとなる。
【産業上の利用可能性】
【００１８】  お弁当箱の蓋を開けた時に手書きのメッセージがあると、とても愛情を感じます。時間も技術もそれほど要さずに料理やお弁当を彩り、且つコミュニケーションがとれ、愛情や絆が深まるので、利用性は高いものである。
【符号の説明】
【００１９】  １  メッセージピックシール
２  透明カバーフィルムシール
３  剥離紙
４  台紙
５  爪楊枝等
６  粘着剤層
７  粘着剤を貼付していない部分
【図１】
0003204874.tif 000003
【図２】
0003204874.tif 000004
【図３】
0003204874.tif 000005
【図４】
0003204874.tif 000006
【図５】
0003204874.tif 000007
【図６】
0003204874.tif 000008
(57)【要約】      （修正有）【課題】冷蔵庫からの排熱を乾燥機の熱源として利用する乾燥機付き冷蔵庫を提供する。【解決手段】冷蔵庫本体１に乾燥機２を付属させ、冷媒が冷蔵庫内で吸熱したもの６を、冷蔵庫外のみならず付属する乾燥機内でも排熱し冷蔵庫に付属した乾燥機として機能させる。【選択図】図１
0003204875.tif 000002
【実用新案登録請求の範囲】
【請求項１】
冷蔵庫本体に乾燥機を付属させ、冷媒が冷蔵庫内で吸熱したものを、冷蔵庫外のみならず付属する乾燥機内でも排熱することを特徴とした乾燥機付き冷蔵庫。
【考案の詳細な説明】
【技術分野】
【０００１】  本考案は、冷蔵庫が発する熱を付属させた乾燥機に利用させる冷蔵庫に関するものである。
【背景技術】
【０００２】  従来、冷蔵庫から発する熱は、放熱器で冷蔵庫の庫外に捨てられていました。
【考案の概要】
【考案が解決しようとする課題】
【０００３】  冷蔵庫において、放熱器で捨てられている熱を乾燥機を付属させ有効利用する。
【課題を解決するための手段】
【０００４】  本考案は、冷蔵庫を冷やす時の排熱を放熱器にのみ導入しないで、付属させた乾燥機内に導き乾燥機内を暖め乾燥機能として利用する。
【考案の効果】
【０００５】  従来の冷蔵庫から発する熱は、庫外に捨てられ夏などは部屋の温度を上昇させるという弊害を生じさせるものであった。捨てられる排熱を付属させた乾燥機に導くことで、排熱の有効利用ができる。また、余った食物を乾燥させ新な食材として活用できる。
【図面の簡単な説明】
【０００６】
【図１】冷蔵庫が発する熱を乾燥機内に導く回路を横から見た断面図
【考案を実施するための形態】
【０００７】  冷蔵庫外に乾燥機を付属させる。  冷蔵庫外で排熱する熱を排熱機に送る場合と、乾燥機に送る場合と、途中に切り替え器を設置し熱の導入を管理する。
【実施例】
【０００８】  以下添付図に従って、一実施例を説明する。１は冷蔵庫本体である。２は庫外に設けられた乾燥機であり、３は乾燥機に設けられた、熱の導入を管理するボタンである。４は庫内と庫外及び乾燥機内にはりめぐらされ、冷蔵庫内で吸熱し庫外及び乾燥機内で排熱しながら循環する冷媒の入ったパイプである。５は冷媒を圧縮するための圧縮機である。６は冷蔵庫内の吸熱の流れであり、７は排熱の流れである。８は冷媒の流れの切り替えポイントであり、乾燥機につけられたボタンで管理されている。【０００９】  まず、２の乾燥機に設けられた３の乾燥ボタンを押す。３の乾燥ボタンが押されたことで、８の冷媒の流れの切り替えポイントが切り替わり２の乾燥機内にもはりめぐらされたパイプによって、冷媒の流れが乾燥機内にも流れ乾燥機内で排熱され、結果乾燥機内の温度が上昇し内部に置かれた物が乾燥する状態になる。乾燥機内に、温度センサーを設け別の動力で温度をコントロールすることも考えられる。
【符号の説明】
【００１０】１冷蔵庫本体
２冷蔵庫に付属した乾燥機
３乾燥機に設けられた起動ボタン
４冷媒の入ったパイプ
５冷媒を圧縮する圧縮機
６冷蔵庫内の吸熱の流れを図形化したもの
７冷蔵庫外での排熱の流れを図形化したもの
８冷媒の切り替えポイント
【図１】
0003204875.tif 000003
(57)【要約】      （修正有）【課題】原材料コスト・維持コストを削減し、細かな砕土能力を発揮する耕耘機の爪を提供する。【解決手段】耕耘軸と刃体部１との間に接続部２を設け、破損しても刃体部接続穴と固定部を介して刃体部のみ交換できるようにすることで、耕耘機の爪の原材料コスト・維持コストを削減する。また、刃体部１を２以上設け、Ｌ字型に弯曲させてそれぞれが対向するように設置することで、細かな耕耘能力を発揮することができる。【選択図】図１
0003204877.tif 000002
【実用新案登録請求の範囲】
【請求項１】
耕耘機に設けられた耕耘軸に取り付けられ，前記耕耘軸を回転することにより耕耘作業をおこなう耕耘爪であって，
前記耕耘爪は，
Ｌ字型に弯曲された２以上の刃体部（１）と，
前記耕耘軸との接続部穴（４）と前記刃体部（１）との接続部穴（３）とを設けた接続部（２）と，を有し，
前記刃体部（１）は，取付用の固定具によって前記刃体部同士が対向するように前記接続部（２）に設置されたことを特徴とする耕耘爪。
【考案の詳細な説明】
【技術分野】
【０００１】  本考案は，耕耘機の爪に関するものである。
【背景技術】
【０００２】  これまで流通・利用されている耕耘機の爪は，耕耘軸に対し，耕耘機の爪を直接接続するように設計されていた。しかしながら，そのような設計となると，耕耘機の爪が一部でも破損してしまえば，耕耘機の爪ごと交換しなければならないため，耕耘機の爪の原材料コスト・維持コストが高くなってしまうという問題があった。【０００３】  また，これまで流通・利用されている耕耘機の爪は，ロータリー式耕耘機を除き，基本的に刃体部１体につき，爪は１つであったため，砕土能力には一定の限界があった。
【先行技術文献】
【特許文献】
【０００４】
【特許文献１】実公平６−０４４３２２公報
【特許文献２】実登３１４８７００号
【考案の概要】
【考案が解決しようとする課題】
【０００５】  本考案は，耕耘機の爪の原材料コスト・維持コストを削減すると共に，細かな耕耘能力を発揮することを目的とする。
【課題を解決するための手段】
【０００６】  本考案は，耕耘機に設けられた耕耘軸に取り付けられ，前記耕耘軸を回転することにより耕耘作業をおこなう耕耘爪であって，前記耕耘爪は，Ｌ字型に弯曲された二以上の刃体部１と，前記耕耘軸との接続部穴４と前記刃体部１との接続部穴３とを設けた接続部２とを有し，前記刃体部１は，取付用の固定具によって前記刃体部１同士が対向するように前記接続部２に設置されたことを特徴とする。
【考案の効果】
【０００７】  本考案は，耕耘機の爪を，刃体部１と接続部２との２つの資材に分け，刃体部１と接続部２とを固定具によって取り付け，脱着可能に設計することで，刃体部が破損しても，破損した部分のみを取外し，交換すればよく，耕耘機の爪の原材料コスト・維持コストを抑制することができる。【０００８】  さらには，刃体部１を２以上設け，その刃体部同士をそれぞれ対向するように設置することで，細かな砕土能力を発揮することができる。
【図面の簡単な説明】
【０００９】
【図１】本考案にかかる耕耘爪を正面から見た図
【図２】本考案にかかる耕耘爪を側面から見た図
【図３】刃体部
【図４】接続部
【図５】本考案にかかる耕耘爪を耕耘軸に取り付けた耕耘機の側面図
【考案を実施するための形態】
【００１０】  以下，本考案の実施の形態を図に基づいて説明する。
【００１１】  図１は本考案にかかる耕耘爪を正面から見たものである。耕耘機の耕耘軸に設置し，耕耘作業を行う。固土，岩等によって刃体部が損傷した際は，刃体部１のみ取り外して交換することができる。
【００１２】  図１〜図３のとおり，刃体部１は，２以上設けられ，Ｌ字型に弯曲されてそれぞれが対向するように設置されるため，細かな耕耘能力を発揮することができる。
【産業上の利用可能性】
【００１３】  本考案は，耕耘機の爪を製造する産業で利用される。
【符号の説明】
【００１４】  １  刃体部
２  接続部
３  刃体部との接続部穴
４  耕耘軸との接続部穴
【図１】
0003204877.tif 000003
【図２】
0003204877.tif 000004
【図３】
0003204877.tif 000005
【図４】
0003204877.tif 000006
【図５】
0003204877.tif 000007
(57)【要約】      （修正有）【課題】布団カバー本体にプラスチック製の棒又は長細ボタン等を設け、予め裏面を表にしたカバーと布団を容易に装着可能とする布団カバーを提供する。【解決手段】布団カバー本体１の四隅及び中央左右部にプラスチック製の棒又は長細ボタン２〜７を設ける。カバーと布団の固定作業時間が短縮され、且つカバー裏面から固定後に表面に返す方法でさらに装着作業の時間を短縮することに役立つ。【選択図】図１
0003204883.tif 000002
【実用新案登録請求の範囲】
【請求項１】
寝具である布団にカバーを装着するにあたり、カバーをあらかじめ裏向きに折りたたみ、プラスチック製の棒又は長細ボタン等を設け、布団とカバーを容易に装着可能としたところを特徴とする布団カバー。
【考案の詳細な説明】
【技術分野】
【０００１】本考案は布団に簡単に装着可能なプラスチック棒又は長細ボタンを設け袋状カバーの裏面が表にでるよう裏返しにたたまれた布団カバーに関するものである。
【背景技術】
【０００２】布団に布団カバーを掛ける場合、柄面が表の袋状になったカバーに布団を押し込めて布団側の四隅及び中央にある布製の輪にカバー側の紐を通して結んで固定し装着し作業時間を多く要していた。
【考案の概要】
【考案が解決しようとする課題】
【０００３】布団側にある布製の輪にカバー側の紐を通して結ぶ固定は多くの時間を要し、さらに袋状のカバーに布団を押し込めながらの作業は負担である。従って紐をプラスチック棒、または細長ボタンにすることにより固定が容易になり、また袋状のカバーを裏返しにした状態で固定後にもとにもどすことで、作業時間が短縮され前述の欠点を解決しようとしたものである。
【課題を解決するための手段】
【０００４】本考案は布団カバー本体にプラスチック製の棒又は長細ボタン等を四隅及び中央左右の計６か所に設け、それと同数の布団側の四隅及び中央左右の止め輪にこのボタン等を掛けることで少ない作業時間で布団にカバーを装着及び固定でき、且つカバーの裏面を表にして装着固定後に表がわに返すことで作業時間がかかる問題を解決している。
【考案の効果】
【０００５】上述のように本考案の布団カバー本体の四隅及び中央左右の６か所にプラスチック製の棒又は長細ボタン等を設けることで、カバー装着後の固定作業時間が短縮され、且つカバー裏面から固定後に表面に返す方法でさらに装着及び固定作業の時間を短縮することに役立つ。
【図面の簡単な説明】
【０００６】
【図１】本考案の簡単装着布団カバーの実施例を示す正面図である。
【図２】本布団カバーの一部拡大図面
【図３】本布団カバーの布団装着形態実施例を示す俯瞰図である。
【考案を実施するための形態】
【０００７】布団カバー本体にプラスチック製の棒又は長細ボタン等を四隅及び中央左右の計６か所に設け、それと同位置の布団側の四隅及び中央左右の止め輪にそれぞれこのボタン等を掛けて固定し、且つカバーの裏面を表にして固定後に表面を表に返して装着する。
【実施例】
【０００８】  以下、添付図面に従って一実施例を説明する。１．は布等適宜素材にて裏面が表にでるよう袋状に加工された本考案の布団カバー本体。２、３、４、５、６、７は耐久性のプラスチック等適宜素材をカバー本体に括り付け布団を装着するときに布団側の布の輪に入れて止めるボタンである。８、はボタンの形状を拡大して示したものである。【０００９】９、１０、１１、１２、１３、１４は布団側に配置されている布の輪であり、あらかじめ裏が表にくるよう、また柄面１６がわかるよう一部おりかえされ、たたまれた本考案の布団カバー１７を１の状態に広げ、その上に布団１５を重ね、２と９、３と１０、４と１１、５と１２、６と１３、７と１４という組み合わせでボタンと布の輪を止め固定後、本考案布団カバーの柄面が表になるように返し、布団にカバーを掛ける作業が終了する。
【符号の説明】
【００１０】１．  布団カバー本体
２．  布団カバー左上ボタン
３．  布団カバー左中ボタン
４．  布団カバー左下ボタン
５．  布団カバー右上ボタン
６．  布団カバー右中ボタン
７．  布団カバー右下ボタン
８．  布団カバーボタン詳細
９．  布団左上布輪
１０．布団左中布輪
１１．布団左下布輪
１２．布団右上布輪
１３．布団右中布輪
１４．布団右下布輪
１５．布団
１６．布団カバー柄面
１７．一部柄が見えるよう折りたたまれた布団カバー本体
【図１】
0003204883.tif 000003
【図２】
0003204883.tif 000004
【図３】
0003204883.tif 000005
(57)【要約】      （修正有）【課題】鮭、ます類を原料としたハンバーグを提供する。【解決手段】鮭、ます類の生身を原料として、タマネギ、卵白、豆腐、パン粉、コショウ、食塩を補助原料とする。【選択図】図２
0003204859.tif 000002
【実用新案登録請求の範囲】
【請求項１】
鮭、マス類の一般におけるハンバーグ製造方法であります。又冷凍、塩漬けの鮭類についてもハンバーグ製造は可能である。タマネギ、卵白、背油、豆腐、パン粉を利用している事で食感としてふんわり感、もっちり感、色はうすピンクで食欲を増します。
調味料は食塩、コショウのみである。味はシンプルである。
以上、鮭ハンバーグの特徴である。
各家庭の味で食べていただきます。
生ぐさ味がない事が特徴です。
【考案の詳細な説明】
【技術分野】本考案は消費者の漁類ばなれにおいて考案されたものです。【０００１】従来から魚のねり製品かまぼこ類、チクワ類、ソーセージ類などがあり、一歩前進して、肉のハンバーグから鮭のハンバーグが出来ないか考案し、結果として鮭ハンバーグが開発された。
【背景技術】
【０００２】生鮭を解体する過程において、三枚におろし身を取出す。付属原料撹拌１５０ｇの円形のハンバーグ完成。
【課題を解決するための手段】
【０００３】４枚の切身、背身が２枚、腹身２枚  計４枚の鮭の生身
【考案の効果】
【０００４】かまぼこ、チクワ、ソーセージの同一的「ねり」の状態になります。
【０００５】生タマネギ、背油、卵白、豆腐、パン粉、コショウ、食塩を補助原料とする。
【０００６】生鮭切身１００％に対し補助原料各１０％とする。撹拌し製品が完成する。
【考案の実施するための形態】
【０００７】形態については図面に示します。
【図面の簡単な説明】
【図１】生鮭の解体の図
【図２】生鮭と補助原料のまぜ合せ
【図３】鮭ハンバーグが完成する形図
【図１】
0003204859.tif 000003
【図２】
0003204859.tif 000004
【図３】
0003204859.tif 000005
【手続補正書】
【提出日】平成27年12月21日(2015.12.21)
【手続補正１】
【補正対象書類名】実用新案登録請求の範囲
【補正対象項目名】全文
【補正方法】変更
【補正の内容】
【実用新案登録請求の範囲】
【請求項１】
鮭、マス類の一般におけるハンバーグ製造であります。又冷凍、塩漬けの鮭類についてもハンバーグ製造は可能である。タマネギ、卵白、背油、豆腐、パン粉を利用している事で食感としてふんわり感、もっちり感、色はうすピンクで食欲を増します。
調味料は食塩、コショウのみで味はシンプルである。以上、鮭ハンバーグの特徴であり、各家庭の味で食べていただき、生ぐさ味がない事が特徴です。
【手続補正２】
【補正対象書類名】明細書
【補正対象項目名】全文
【補正方法】変更
【補正の内容】
【考案の詳細な説明】
【技術分野】本考案は消費者の漁類ばなれにおいて考案されたものです。【０００１】従来から魚のねり製品かまぼこ類、チクワ類、ソーセージ類などがあり、一歩前進して、肉のハンバーグから鮭のハンバーグが出来ないか考案し、結果として鮭ハンバーグが開発された。
【背景技術】
【０００２】生鮭を解体する過程において、三枚におろし身を取出す。付属原料撹拌１５０ｇの円形のハンバーグ完成。
【課題を解決するための手段】
【０００３】４枚の切身、背身が２枚、腹身２枚  計４枚の鮭の生身
【考案の効果】
【０００４】かまぼこ、チクワ、ソーセージの同一的ねりの状態になります。
生タマネギ、背油、卵白、豆腐、パン粉、コショウ、食塩を補助原料とする。
【０００５】生鮭切身１００％に対し補助原料各１０％とする。撹拌し製品が完成する。
【考案の実施するための形態】
【０００６】形態については図面に示します。
【図面の簡単な説明】
【図１】生鮭の解体の図
【図２】生鮭と補助原料のまぜ合せ
【図３】鮭ハンバーグが完成する形図
【手続補正書】
【提出日】平成28年2月27日(2016.2.27)
【手続補正１】
【補正対象書類名】実用新案登録請求の範囲
【補正対象項目名】全文
【補正方法】変更
【補正の内容】
【実用新案登録請求の範囲】
【請求項１】
鮭、ます類の生身を原料として、タマネギ、卵白、豆腐、パン粉、コショウ、食塩を補助原料とするハンバーグ
【手続補正２】
【補正対象書類名】明細書
【補正対象項目名】全文
【補正方法】変更
【補正の内容】
【考案の詳細な説明】
【技術分野】
【０００１】従来から魚のねり製品かまぼこ類、チクワ類、ソーセージ類などがあり、一歩前進して、肉のハンバーグから鮭のハンバーグが出来ないか考案し、結果として鮭ハンバーグが開発された。
【背景技術】
【０００２】生鮭を解体する過程において、三枚におろし身を取出す。付属原料撹拌１５０ｇの円形のハンバーグ完成。
【課題を解決するための手段】
【０００３】４枚の切身、背身が２枚、腹身２枚  計４枚の鮭の生身
【考案の効果】
【０００４】タマネギ、豆腐を利用している事で食感としてふんわり感、もっちり感、色はうすピンクで食欲を増します。味はシンプルである。
各家庭の味で食べていただき、生ぐさ味がないことが特徴です。
【０００５】生鮭切身１００％に対し補助原料各１０％とする。撹拌し製品が完成する。
【考案の実施するための形態】
【０００６】形態については図面に示します。
【図面の簡単な説明】
【０００７】
【図１】生鮭の解体の図
【図２】生鮭と補助原料のまぜ合せ
【図３】鮭ハンバーグが完成する形図
(57)【要約】      （修正有）【課題】良好な密封性を実現し、頻繁的な開閉を容易にするキャップを提供する。【解決手段】瓶の口に付けられる固定蓋１、固定蓋１内部に設置した外しやすい蓋２と押し蓋３を備え、外しやすい蓋２は円形構造でその周辺が固定蓋１内壁に固定され、固定蓋１先端に近い外し易い蓋２の部分にプルタブ２１があり、固定蓋１のてっぺんに環状のしゃくり溝１２がある、固定蓋１の先端にバックル１１があり、押し蓋３の末端と固定蓋１の末端が繋がっており、押し蓋３の底にしゃくり溝１２と合うリング３２がついており、押し蓋３の先端にバックル１１と合う留め金３１がある。【選択図】図１
0003204533.tif 000002
【実用新案登録請求の範囲】
【請求項１】
瓶の口に付けられる固定蓋（１）と、
固定蓋（１）内部に設置した蓋（２）と、
押し蓋（３）と、を備え、
蓋（２）は円形構造でその周辺が固定蓋（１）内壁に脱着可能に固定され、
蓋（２）の固定蓋（１）先端に近い部分に引っ張り可能なタブ（２１）が設けられ、
固定蓋（１）の頂上に環状のしゃくり溝（１２）、固定蓋（１）の先端にバックル（１１）を有し、
押し蓋（３）の末端と固定蓋（１）の末端が繋がっており、
押し蓋（３）の底にしゃくり溝（１２）と合うリング（３２）、押し蓋（３）の先端にバックル（１１）と合う留め金（３１）を設けることを特徴とする、
一種のキャップ。
【考案の詳細な説明】
【技術分野】
【０００１】
本考案は一種の密封器具、具体的に一種のキャップである。
【背景技術】
【０００２】
キャップは瓶を密封するために使う器具であり、内容物の密封性を保ち、防犯や安全性面の機能を有する、瓶容器の包装における肝心な製品であるため、瓶製品に幅広く使われている。食品や飲料包装における重要な一環として、消費者がその製品と接触する最初の部分である。違う機能による異なった形状・操作方法のキャップ、例えば、ミネラルウォーター瓶のキャップは円形でひねるが、缶のプルタブは引っ張る。
【０００３】
瓶に積めるごま油や醤油、酢などは一回で使い切れないので、何回も使う必要のある調味料にとって、キャップの役割がもっと重要になってくる。しかし、今の調味料瓶のキャップは大体以下の問題を抱えている。
【０００４】
(１)密封性がよいが、頻繁的な開け閉めに向いていない。
【０００５】
(２)開閉操作に便利なキャップは密封性が悪い。市場には密封性も良く、開閉も便利なキャップが出回っていない現状である。
【考案の概要】
【考案が解決しようとする課題】
【０００６】
本考案の目的は、密封性がよく、操作に便利なキャップを提供することで、前述の問題を解決することを課題とする。
【０００７】
前述の問題を解決するために、本考案は採用した構成は以下のとおりである。
【課題を解決するための手段】
【０００８】
本考案の一種のキャップは、瓶の口に付けられる固定蓋（１）と、固定蓋（１）内部に設置した蓋（２）と、押し蓋（３）と、を備え、蓋（２）は円形構造でその周辺が固定蓋（１）内壁に脱着可能に固定され、蓋（２）の固定蓋（１）先端に近い部分に引っ張り可能なタブ（２１）が設けられ、固定蓋（１）の頂上に環状のしゃくり溝（１２）、固定蓋（１）の先端にバックル（１１）を有し、押し蓋（３）の末端と固定蓋（１）の末端が繋がっており、押し蓋（３）の底にしゃくり溝（１２）と合うリング（３２）、押し蓋（３）の先端にバックル（１１）と合う留め金（３１）を設けることを、特徴とする。
【０００９】
瓶の口に付けられる固定蓋（１）、固定蓋（１）内部に設置した外しやすい蓋（２）と押し蓋（３）を備える。
【００１０】
外しやすい蓋（２）は円形構造でその周辺が固定蓋（１）の内壁に固定されている。
【００１１】
固定蓋（１）先端に近い外し易い蓋（２）の部分にプルタブ（２１）がある。
【００１２】
固定蓋（１）のてっぺんに環状のしゃくり溝（１２）がある、固定蓋（１）の先端にバックル（１１）がある。
【００１３】
押し蓋（３）の末端と固定蓋（１）の末端が繋がっている。
【００１４】
押し蓋（３）の底にしゃくり溝（１２）と合うリング（３２）がついている。押し蓋（３）の先端にバックル（１１）と合う留め金（３１）がある。
【考案の効果】
【００１５】
本考案はしゃくり溝（１２）とリング、バックル（１１）と留め金（３１）で良好な密封性を保つことができ、留め金（３１）で開閉の動作を簡単にできる。したがって、本考案は良好な密封性と頻繁的な開閉を行い易くできるメリットがある。
【図面の簡単な説明】
【００１６】
【図１】本考案の構造説明図である。
【考案を実施するための形態】
【００１７】
図１を参照し、具体的な実施方式について本考案のキャップを説明する。
【００１８】
図１を参照すると、キャップは瓶の口（図示略）に付けられる固定蓋１、固定蓋１の内部に設置した外し易い蓋２と、押し蓋３と、を備えている。
【００１９】
外し易い蓋２は円形構造でその周辺が固定蓋１内壁に固定されている。
【００２０】
固定蓋１先端に近い外し易い蓋２の部分にプルタブ２１がある。プルタブ２１は指を引っ掛けて引っ張ることができる構造である。
【００２１】
固定蓋１の頂上に環状のしゃくり溝１２がある。固定蓋１の先端にバックル１１がある。
【００２２】
押し蓋３の末端と固定蓋１の末端が繋がっている。この末端同士がヒンジで連結されて固定蓋１に対して押し蓋３が揺動可能となっていることで、開閉が可能である。
【００２３】
押し蓋３の底にしゃくり溝１２と合うリング３２を設けている。押し蓋３の先端にバックル１１と合う留め金３１がある。
【００２４】
固定蓋１、外し易い蓋２、押し蓋３はポリプロピレン（PP）材料を使用するが、材料はこれに限定されるわけではない。
【００２５】
本考案のキャップの使用方法の一例を説明する。瓶に取り付ける時に、固定蓋１は瓶の口に固められる。初めて瓶につめる内容物を使用する時に、まず、バックル（１１）と留め金（３１）を外して、押し蓋３を開ける。プルタブ２１を引っ張って、外し易い蓋２を固定蓋１から外す。その後、瓶の中の内容物を使用する時に、留め金３１で押し蓋３を開けるだけで、瓶に入っている内容物を使用できる。内容物を使い終わったら、タブ２１を利用して蓋２を固定蓋１に固定し、押し蓋３を固定蓋１に閉めるだけでよい。
【符号の説明】
【００２６】
１…固定蓋
２…蓋
３…押し蓋
１１…バックル
１２…しゃくり溝
２１…プルタブ
３１…留め金
３２…リング
【図１】
0003204533.tif 000003
(57)【要約】      （修正有）【課題】左利き男性が排尿時に左手で容易に男性器を出し入れ出来るようにし、不便さを解消することができる左利き男性用下着及びパジャマズボンを提供する。【解決手段】左利き男性の排尿時の容易さ確保のために、男性下着又は男性用パジャマズボンの開口部を既存の左前みごろ右開口部とは逆の右前みごろ１左開口部２とし左利き男性が男性器を出し入れしやすくした。【選択図】図１
0003204590.tif 000002
【実用新案登録請求の範囲】
【請求項１】
左利き男性の排尿時の容易さ確保のために、男性下着及びパジャマズボンの開口部を既存の左前みごろ右開口部とは逆の右前みごろ左開口部とする。
【考案の詳細な説明】
【技術分野】
【０００１】
本考案は左利き男性の排尿時に関する。
【背景技術】
【０００２】
左利き男性は排尿時に左手で男性器を容易に出し入れ出来る男性用下着やパジャマズボンがなく不便を感じている。
【先行技術文献】
【非特許文献】
【０００３】
【非特許文献１】なし。
【考案の概要】
【考案が解決しようとする課題】
【０００４】
そこで、左利き男性が排尿時に左手で容易に男性器を出し入れ出来るようにし、不便さを解消する。
【課題を解決するための手段】
【０００５】
左利き男性用の下着及びパジャマズボンとして、既存の開口部とは逆のものを作る。
具体的には、右前みごろの左開口部。
【考案の効果】
【０００６】
左利き男性が左手で排尿時の男性器の出し入れが容易になる。
【図面の簡単な説明】
【０００７】
【図１】本考案にかかわる男性用下着及パジャマズボンの平面図である。
【考案を実施するための形態】
【０００８】
図１に示すように、右前みごろ１を作ることにより、左開口部２から左手が入り男性器の出し入れが容易になる。
【符号の説明】
【０００９】
１  右前みごろ。
２  左開口部。(２の方向から左手を入れる)
【図１】
0003204590.tif 000003
【手続補正書】
【提出日】平成28年1月29日(2016.1.29)
【手続補正１】
【補正対象書類名】実用新案登録請求の範囲
【補正対象項目名】全文
【補正方法】変更
【補正の内容】
【実用新案登録請求の範囲】
【請求項１】
左利き男性の排尿時の容易さ確保のために、男性下着及びパジャマズボンの開口部を既存の左前みごろ右開口部とは逆の右前みごろ左開口部とし左利き男性が男性器を出し入れしやすくした男性用下着及びパジャマズボンである。
【手続補正書】
【提出日】平成28年3月30日(2016.3.30)
【手続補正１】
【補正対象書類名】実用新案登録請求の範囲
【補正対象項目名】全文
【補正方法】変更
【補正の内容】
【実用新案登録請求の範囲】
【請求項１】
左利き男性の排尿時の容易さ確保のために、男性下着の開口部を既存の左前みごろ右開口部とは逆の右前みごろ左開口部とし左利き男性が男性器を出し入れしやすくした男性用下着。
【請求項２】
左利き男性の排尿時の容易さ確保のために、男性用パジャマズボンの開口部を既存の左前みごろ右開口部とは逆の右前みごろ左開口部とし左利き男性が男性器を出し入れしやすくした男性用パジャマズボン。
(57)【要約】      （修正有）【課題】雪道の走行のためにソリを着脱可能に収納するベビーカーを提供する。【解決手段】雪道を走行するときにソリを装着し走行しやすくできるように、ベビーカーの本体側とソリ側に片手で容易に脱着できる構造を有する金具をそれぞれ取り付ける。また、必要のない時に取り外したソリの後端を本体下部に取り付けたポケットに差し込み、先端を本体上部に取り付けた固定ベルトで固定することによってソリを本体に収納する。【選択図】図１
0003204589.tif 000002
【実用新案登録請求の範囲】
【請求項１】
雪道を走行するときにソリを装着することによって走行しやすくすることができることを特徴とする、ベビーカー。
【請求項２】
ソリは容易に着脱可能なものとし、必要のない時はベビーカー本体に収納できることを特徴とする、ベビーカー。
【考案の詳細な説明】
【技術分野】
【０００１】この考案は、雪道の走行のために本体に収納されたソリを着脱可能としたベビーカーに関するものである。
【背景技術】
【０００２】従来のベビーカーの車輪は、雪道の走行には不適である。
【考案の概要】
【考案が解決しようとする課題】
【０００３】ベビーカーで雪道を走行すると、車輪が埋まったり凹凸にはまったりして走行しづらい。
【考案が解決しようとする課題】
【０００４】以上の課題を解決するために、あらかじめ収納されているソリを路面状態に合わせて着脱可能とする。
【考案の効果】
【０００５】雪道を走行するときにソリがついていれば走行が容易である。
【図面の簡単な説明】
【図１】この考案の一実施形態を前方から見た斜視図である。
【図２】この考案の一実施形態を右横から見た側面図である。
【考案を実施するための形態】
【０００６】この考案の一実施形態を、図１に示す。
通常はソリを本体に収納しておく。
道路状況に応じてソリを脱着する。
【図１】
0003204589.tif 000003
【図２】
0003204589.tif 000004
【手続補正書】
【提出日】平成27年12月1日(2015.12.1)
【手続補正１】
【補正対象書類名】明細書
【補正対象項目名】全文
【補正方法】変更
【補正の内容】
【考案の詳細な説明】
【技術分野】
【０００１】この考案は、雪道の走行のために本体に収納されたソリを着脱可能としたベビーカーに関するものである。
【背景技術】
【０００２】従来のベビーカーの車輪は、雪道の走行には不適である。
【考案の概要】
【考案が解決しようとする課題】
【０００３】ベビーカーで雪道を走行すると、車輪が埋まったり凹凸にはまったりして走行しづらい。
【考案が解決しようとする課題】
【０００４】以上の課題を解決するために、あらかじめ収納されているソリを路面状態に合わせて着脱可能とする。着脱時、少しベビーカーを斜めにしなければならないので、安全のため片手で着脱できる構造とする。
【考案の効果】
【０００５】雪道を走行するときにソリがついていれば走行が容易である。
【図面の簡単な説明】
【０００６】
【図１】この考案の一実施形態を前方から見た斜視図である。
【図２】この考案の一実施形態を右横から見た側面図である。
【図３】図１の本体側金具▲１▼の拡大図である。
【図４】図１のソリ側の固定金具▲２▼の破線で囲った部分の拡大図である。
【図５】図４を左側ま横方向から見た断面図である。
【図６】片手でソリを取り外すためのロック解除機構である。
【図７】Ａはソリの後端を差し込む箱である。Ｂはソリの先端付近を固定するベルトである。
【考案を実施するための形態】
【０００７】この考案の一実施形態を、図１に示す。通常はソリを本体に収納しておく。道路状況に応じてソリを着脱する。
【手続補正２】
【補正対象書類名】実用新案登録請求の範囲
【補正対象項目名】全文
【補正方法】変更
【補正の内容】
【実用新案登録請求の範囲】
【請求項１】
本体２ヶ所に断面が正方形で軽く丈夫な材質の短いパイプを溶接等で取り付け、ソリ側に取り付けた断面が正方形で軽く丈夫な材質の金具を抜き差しすることによって容易にソリを着脱でき、かつその着脱時には少し本体を斜めにしなければならないので安全のために、片手で着脱操作可能な構造を特徴とするベビーカー。
【請求項２】
ソリを装着したときは、外れないようにドアのラッチと同じような仕組みの突起金具で固定し、取り外すときはロック解除レバーを片手で握って、その突起金具を自転車等で用いられているブレーキワイヤーで引っ張ることによって固定を解除する構造とし、取り外したソリは本体側部に収納できることを特徴とする、ベビーカー。
【手続補正３】
【補正対象書類名】図面
【補正対象項目名】全図
【補正方法】変更
【補正の内容】
【図１】
0003204589.tif 000005
【図２】
0003204589.tif 000006
【図３】
0003204589.tif 000007
【図４】
0003204589.tif 000008
【図５】
0003204589.tif 000009
【図６】
0003204589.tif 000010
【図７】
0003204589.tif 000011
【手続補正書】
【提出日】平成28年3月16日(2016.3.16)
【手続補正１】
【補正対象書類名】実用新案登録請求の範囲
【補正対象項目名】全文
【補正方法】変更
【補正の内容】
【実用新案登録請求の範囲】
【請求項１】
雪道を走行するときにソリを装着することによって走行しやすくすることができるように、本体側とソリ側に片手で容易に脱着できる構造を有する金具を取り付けたことを特徴とする、ベビーカー。
【請求項２】
必要のない時に取り外したソリの後端を本体下部に取り付けたポケットに差し込み、先端を本体上部に取り付けた固定ベルトで固定することによってソリを本体に収納できることを特徴とする、ベビーカー。
(57)【要約】      （修正有）【課題】カメラを首から下げたままでも、移動時は胴体に密着し、撮影時には容易に脱着できるカメラホルダーを提供する。【解決手段】保持板１が揺れないように、アミナスカン４で連結したウエストストラップ５を胴に巻き、緩まないようにバックルを使って長さを調節して身体に密着させる。ネックストラップを長くして首に掛けたカメラの三脚ネジ穴に、トメワとクッション３を介して保持板に取り付けたツマミ付ネジ２をねじ込んで、カメラを保持板に固定する。撮影する時は、ツマミ付ネジを緩めるだけで、シャッターチャンスを逃すことなく、容易にカメラをホルダーから解除することが出来る。【選択図】図３
0003204504.tif 000002
【実用新案登録請求の範囲】
【請求項１】
移動時には、長さを調節できるウエストストラップと回転鐶で胴体に固定した保持板を、首から下げたカメラの三脚ネジ穴に取り付けることで、カメラを胴体に密着させて振動を吸収し、撮影時には、保持板にトメワで抜け止めをしたツマミ付ネジを緩めることで、容易にカメラを保持板から取り外すことが出来る、カメラホルダー
【考案の詳細な説明】
【技術分野】
【０００１】
カメラを首から下げたまま動いてもカメラが振動して周囲にぶつかったりその衝撃でカメラを壊したりしないように、胴体に密着し安定してカメラを保持する器具である。
【背景技術】
【０００２】
移動しながら撮影する時は、カメラを首から下げたままだと周囲にぶつけて壊す恐れがあるので、いちいち、ケースやバッグに入れてから移動しなければいけなかった。そして撮影する度に、カメラをケースやバッグから出さなければいけなかった。
【考案の概要】
【考案が解決しようとする課題】
【０００３】
カメラで撮影したり短距離を移動したりを頻繁に繰り返す時は、首から下げたまま移動したいが、手に持ったままでなければ、身体の揺れに伴う振動で、周囲にぶつけてカメラを壊す恐れがあるので、その都度カメラを、ケースやバッグから出したり入れたりしなければならず面倒で、ケースやバッグを持ち歩くのも、荷物が増えて煩わしい。又、入れたり出したりしている間に、シャッターチャンスを逃がす恐れもある。カメラを首から下げたままでも、移動時は胴体に密着し、撮影時には容易に脱着できる、このカメラホルダーは、これらの課題を解決しようとするものである。
【課題を解決するための手段】
【０００４】
カメラを胴体に密着させるために、先ずは、ネックストラップを長くする。次に、カメラの三脚ネジ穴にクッションを介した保持板をネジ止めにする。保持板の身体側に穴を開け、アミナスカンの回転する鐶の一部を内側に押し下げて穴に通し、もう一方の鐶にウエストストラップをカシメ打ちし、長さを調節できるように途中にバックルを設け、胴体に密着する構造とした。カメラを容易に保持板から取り外すことが出来るように、カメラを保持板に取り付けるネジをツマミ付とし、トメワで抜け落ちないようにしてトメワの上からクッションを保持板に接着した。ツマミ付だから工具が無くても容易に、カメラとホルダーを、外したり付けたりすることが出来る。
【考案の効果】
【０００５】
カメラを首から下げて移動しても、周囲にぶつけて壊す恐れが無くなる。短距離移動の度にケースやバッグに入れなくても良いので、いちいちカメラを仕舞う手間が省ける上に、シャッターチャンスを失う恐れも無くなる。ウエストストラップと保持板の連結にナスカンを使うことで、長距離移動の時は容易に分解して、バッグに収納することが出来る。
【図面の簡単な説明】
【０００６】
【図１】カメラにつけた保持板とウエストストラップを、正面から見た図である。
【図２】カメラホルダーを、右から見た図である。
【図３】カメラホルダーを、身体側から見た図である。
【符号の説明】
【０００７】
１    保持板
２    ツマミ付ネジ
３    クッション
４    アミナスカン
５    バックル付ウエストストラップ
６    カメラ
７    ネックストラップ
【図１】
0003204504.tif 000003
【図２】
0003204504.tif 000004
【図３】
0003204504.tif 000005
(57)【要約】      （修正有）【課題】ＡＥＤの操作方法を動画で説明ができ、必要な情報案内ができる屋外・室内ＡＥＤデジタルサイネージを提供する。【解決手段】液晶ディスプレイを利用して、広告・情報案内をするＡＥＤデジタルサイネージであって、デジタルサイネージにＡＥＤを設置できるＡＥＤ収納庫を設け、ＡＥＤ操作方法と情報案内を静止画・動画で流せる。【選択図】図１
0003204597.tif 000002
【実用新案登録請求の範囲】
【請求項１】
液晶ディスプレイを利用して、広告・情報案内をする、デジタルサイネージ本体の中にＡＥＤを設置できるＡＥＤ操作用方法と情報案内を静止画・動画で、流せる装置
【請求項２】
屋外・室内とスタンドタイプ・壁掛けタイプのＡＥＤサイネージ筐体
【考案の詳細な説明】
【技術分野】
【０００１】    本考案は、人の生命に関わるＡＥＤとＬＣＤ  Ｄｉｓｐｌａｙ（液晶ディスプレイ）を融合したものである。
【背景技術】
【０００２】実用新案ＡＤ２０１６−００１には、非常の時人の生命に関わるＡＥＤの操作方法を動画で、説明ができ、かつ各設置場所に必要な情報案内ができるシステムである。
【考案の概要】
【考案が解決しようとする課題】
【０００３】    この装置がいかに世の中にために貢献できるか？
【課題を解決するための手段】    室内できではなく、屋外でも生かせるか？
【考案の効果】
【０００４】    誰でも人の命を救われる
【図面の簡単な説明】
【０００５】
【図１】  本考案は機器の概略図である。
【考案を実施するための形態】
【０００６】本考案のシステムの概略図である。図１に示されるように，本考案の第１全面は，上は液晶ディスプレイ，下はＡＥＤ収納庫である。
【産業上の利用可能性】
【０００７】本考案は，ＡＥＤ業界、広告産業や広告関連装置業の分野で好ましく利用されうる。
【図１】
0003204597.tif 000003
【手続補正書】
【提出日】平成28年3月17日(2016.3.17)
【手続補正１】
【補正対象書類名】実用新案登録請求の範囲
【補正対象項目名】全文
【補正方法】変更
【補正の内容】
【実用新案登録請求の範囲】
【請求項１】
液晶ディスプレイを利用して、広告・情報案内をするＡＥＤデジタルサイネージであって、デジタルサイネージにＡＥＤを設置できるＡＥＤ収納庫を設け、ＡＥＤ操作方法と情報案内を静止画・動画で流せる、屋外・室内ＡＥＤデジタルサイネージ。
【請求項２】
筐体が、スタンドタイプ、壁掛けタイプである請求項１に記載の屋外・室内ＡＥＤデジタルサイネージ。